(57)【要約】【課題】取り付けられる装置本体の設計の負担を軽減しつつ、構造の複雑化や大型化を抑制することが可能なアンテナ装置を提供する。【解決手段】基幹筒状部材１に設けられたヒンジ軸孔１ａによって、線状アンテナ本体部（図外）に固着されたヒンジ片（図外）を回動可能に軸支する。基幹筒状部材１と導電性底栓４とを同心に対向せしめて、両者の間に基板２を取り付けて支持する。上記基板２にリアクタンス素子２ａとキャパシタンス素子２ｂとを実装し、並列に接続してインピーダンス整合回路１１を構成する。上記インピーダンス整合回路１１は、基幹筒状部材１と導電性底栓４との間に接続され、該導電性底栓４は高周波回路に出力端（図外）に接続される。このインピーダンス整合回路１１の作用によって、ＵＨＦ帯とＶＨＦ帯とに跨がるデュアル特性が得られる。【選択図】図２
2009017192.tif 000002
【特許請求の範囲】
【請求項１】
線状アンテナを備え、無線機の筐体壁を貫通して設置された筒状ホルダに対して導電性のスリーブを摺動可能に嵌合するアンテナ装置において、
前記スリーブの中に収納された基板と、
前記線状アンテナの入力端と前記無線機が有する高周波回路の出力端との間に介挿接続され、前記基板に実装されたリアクタンス素子及びキャパシタンス素子で構成されるインピーダンス整合回路と、
前記基板が収納される前記スリーブの中の空間を充填する電気絶縁性充填剤と、
を含むアンテナ装置。
【請求項２】
前記線状アンテナの基端部を屈折可能に軸支する筒状部材を更に含み、
前記筒状部材の一部が前記スリーブの中に位置し、
前記筒状部材と前記スリーブとの間に前記電気絶縁性充填剤が充填され、充填された当該電気絶縁性充填剤により当該筒状部材と当該スリーブとが一体に固着されていることを特徴とする請求項１に記載のアンテナ装置。
【請求項３】
前記線状アンテナから遠い前記スリーブの端部で当該スリーブの中の空間と当該スリーブの外部とを仕切る導電性の底栓を更に含むことを特徴とする請求項１に記載のアンテナ装置。
【請求項４】
前記電気絶縁性充填剤は、前記線状アンテナの使用状態で、当該線状アンテナに近い前記スリーブの端部で露出していることを特徴とする請求項１に記載のアンテナ装置。
【発明の詳細な説明】
【技術分野】
【０００１】
本発明は、携帯電話機等の携帯情報端末やパーソナルコンピュータ等の電子情報端末に用いられるアンテナ装置に関するものである。
【背景技術】
【０００２】
例えば携帯電話機は、通話機能のみならず、技術の発達と共にメールやインターネット等の通信機能が付加されている。そして、その便利さや手軽さ等のため、携帯電話機は世界的に急速に普及している。
【０００３】
そのような携帯電話機の普及に伴い、通話機能や通信機能以外の様々な機能を有する携帯電話機が提案されている（例えば、特許文献１参照）。この特許文献１には、ラジオ放送又はテレビ放送を受信する機能を備える携帯電話機が開示されている。
【０００４】
【特許文献１】特開２００２−１０１１６４号公報
【発明の開示】
【発明が解決しようとする課題】
【０００５】
ところで、近年、地上波のＵＨＦ帯を使用して開始された地上デジタル放送が開始され、携帯情報端末で受信してもきれいな映像で視聴できるようになっている。このようにテレビ放送がデジタルに移行すると共に、ラジオ放送でも高品質音声及び各種のデータ放送を可能にする地上デジタルラジオ放送（地上デジタル音声放送）も開始される予定である。地上デジタルラジオ放送が本格的に開始されると、ユーザは携帯情報端末で視聴したいと希望することが予想され、更には、地上デジタル放送の視聴と地上デジタルラジオ放送の視聴を１つの携帯情報端末で行いたいというユーザの要望も予想される。
【０００６】
ここで、携帯情報端末や電子情報端末の小型化というユーザの要望がある。そのため、実装密度を高めるための種々の技術が開発されている。その一方で、アンテナ装置の改良によって携帯情報端末等の小型化の対応に寄与することができれば、携帯情報端末等の本体の設計の負担軽減につながる。その際に、アンテナ装置の構造複雑化や大型化を抑制するのが好ましい。
【０００７】
本発明は、以上のような技術的課題を解決するためになされたものであり、その目的とするところは、取り付けられる装置本体の設計の負担を軽減しつつ、構造の複雑化や大型化を抑制することが可能なアンテナ装置を提供することにある。
【課題を解決するための手段】
【０００８】
かかる目的のもと、本発明が適用されるアンテナ装置は、線状アンテナを備え、無線機の筐体壁を貫通して設置された筒状ホルダに対して導電性のスリーブを摺動可能に嵌合するアンテナ装置において、前記スリーブの中に収納された基板と、前記線状アンテナの入力端と前記無線機が有する高周波回路の出力端との間に介挿接続され、前記基板に実装されたリアクタンス素子及びキャパシタンス素子で構成されるインピーダンス整合回路と、前記基板が収納される前記スリーブの中の空間を充填する電気絶縁性充填剤と、を含むものである。
【０００９】
ここで、前記線状アンテナの基端部を屈折可能に軸支する筒状部材を更に含み、前記筒状部材の一部が前記スリーブの中に位置し、前記筒状部材と前記スリーブとの間に前記電気絶縁性充填剤が充填され、充填された当該電気絶縁性充填剤により当該筒状部材と当該スリーブとが一体に固着されていることを特徴とすることができる。
【００１０】
また、前記線状アンテナから遠い前記スリーブの端部で当該スリーブの中の空間と当該スリーブの外部とを仕切る導電性の底栓を更に含むことを特徴とすることができる。
【００１１】
また、前記電気絶縁性充填剤は、前記線状アンテナの使用状態で、当該線状アンテナに近い前記スリーブの端部で露出していることを特徴とすることができる。
【発明の効果】
【００１２】
請求項１によれば、本発明を適用しない場合に比べて、取り付けられる装置本体の設計の負担を軽減しつつ、構造の複雑化や大型化を抑制することが可能になる。
【００１３】
請求項２によれば、本発明を適用しない場合に比べて、基板を収容するスリーブの外径を大きくすることができ、基板の収納スペースを確保することが可能になる。また、筒状部材がスリーブの中に位置し、両者間に電気絶縁性充填剤が充填されるので、電気絶縁性充填剤による固着強度を向上させることが可能になる。
【００１４】
請求項３によれば、本発明を適用しない場合に比べて、電気絶縁性充填剤をスリーブ内に充填する作業を容易に行うことが可能になる。
【００１５】
請求項４によれば、本発明を適用しない場合に比べて、基板を収容するスリーブの外径を大きくすることができ、基板の収納スペースを確保することが可能になる。
【発明を実施するための最良の形態】
【００１６】
以下、添付図面を参照して、本発明の実施の形態について詳細に説明する。
〔第１の実施の形態〕
図１は、第１の実施の形態に係るアンテナ装置Ａ１を説明する断面図である。
図１に示すように、アンテナ装置Ａ１は、図示しない無線機の樹脂製筐体壁６を貫通して設置された筒状ホルダ７と、筒状ホルダ７に対して摺動可能に嵌合されたユニット部Ｕと、ユニット部Ｕに軸支される線状アンテナ本体部８と、を備えている。なお、このユニット部Ｕは、小型軽量のアッセンブリ部材として構成されており、市場流通における１個の単位商品たり得る。
【００１７】
筒状ホルダ７の上端はフランジ形状であり、下端側の外周面には雄ねじが形成されている。そして、筒状ホルダ７及びナット７ａが相互に螺合することで筐体壁６を挟み込む形になり、筒状ホルダ７が筐体壁６に固定される。
【００１８】
この筒状ホルダ７は、軸方向中間部に内部空間を有し、この内部空間には、ユニット部Ｕの外周面に当接するように摩擦スプリング７ｂが装着されている。このため、ユニット部Ｕが筒状ホルダ７に対して相対移動（上下方向への移動）をする際には、ユニット部Ｕと摩擦スプリング７ｂとの係合により摺動抵抗が与えられる。
【００１９】
線状アンテナ本体部８は、基端にヒンジ片８ａが固着されている。そして、線状アンテナ本体部８のヒンジ片８ａが、ヒンジ軸８ｂによって回動可能に軸支されている。線状アンテナ本体部８は、テレスコピックに伸縮可能である。また、ここにいう線状アンテナには、例えばモノポールアンテナやダイポールアンテナのようなロッドタイプのアンテナ等が含まれる。
【００２０】
また、ユニット部Ｕの一部を構成する基幹筒状部材１の中には、保持ロッド９が摺動自在に収納されている。この保持ロッド９は、保持スプリング１０によって図１の上方へ付勢されてヒンジ片８ａに押し付けられている。このため、線状アンテナ本体部８は、保持ロッド９及び保持スプリング１０によって、傾動可能に支持される。付言すると、線状アンテナ本体部８は、保持ロッド９及び保持スプリング１０を収容するために筒状に形成されている。
【００２１】
また、ユニット部Ｕの一部を構成する底栓４は、フランジを有する。この底栓４のフランジは、ユニット部Ｕが筒状ホルダ７との相対移動して引き上げられると、筒状ホルダ７の下端部に当接し、これにより、ユニット部Ｕが筒状ホルダ７から抜けることが防止される。
【００２２】
図２は、ユニット部Ｕの断面図である。
図２に示すように、ユニット部Ｕは、線状アンテナ本体部８（図１参照）を軸支するためのヒンジ軸孔１ａを一端に有する基幹筒状部材１と、基幹筒状部材１と離間して配設される導電性のスリーブ３と、スリーブ３と接触して配設される導電性の底栓４と、基幹筒状部材１及び底栓４に保持される基板２と、を備えている。底栓４には、予めリング溝４ａが形成されている。スリーブ３は、底栓４のリング溝４ａを利用してカシメられる。
【００２３】
スリーブ３の内部空間は電気絶縁性充填剤５で充填されている。スリーブ３の内部空間を電気絶縁性充填剤５で充填することで、ユニット部Ｕが完成する。すなわち、電気絶縁性充填剤５は、単に電気絶縁を行うためのものではなく、固化することで基幹筒状部材１、基板２、スリーブ３及び底栓４を一体化し、かつ、ユニット部Ｕに外力が加わったときには、その外力を他の部材と共に受ける構造物として機能する。このため、ユニット部Ｕの構成が簡略化され、また、部品点数を少なくすることができる。
【００２４】
また、ユニット部Ｕは、線状アンテナ本体部８に近いスリーブ３の端部側で電気絶縁性充填剤５が露出する露出部５ａを有する。言い換えると、基板２よりも線状アンテナ本体部８に近い位置に露出部５ａを有する。このため、ユニット部Ｕの組立時の作業性が良い。なお、この露出部５ａにより、線状アンテナ本体部８とスリーブ３とが基板２を介してのみ電気的に接続される。
【００２５】
また、ユニット部Ｕでは、線状アンテナ本体部８から遠いスリーブ３の端部側でスリーブ３の中の空間とスリーブ３の外部とを底栓４で仕切っている。このため、スリーブ３の内部空間と外部とが、線状アンテナ本体部８に近いスリーブ３の端部側で連通しているだけである。したがって、電気絶縁性充填剤５の充填作業を容易に行うことができる。
【００２６】
基幹筒状部材１の一部がスリーブ３の中に入り込んでいる。そして、基幹筒状部材１の外周面とスリーブ３の内周面との間には、電気絶縁性充填剤５が充填され、これにより、基幹筒状部材１とスリーブ３とが一体に固着されている。このため、基幹筒状部材１とスリーブ３とがより強固に固着される。また、基板２を内蔵するユニット部Ｕの大型化を抑制しつつ、基板２を収容するスリーブ３の内径を大きくすることができる。
【００２７】
基板２は、細長い長方形であり、その幅寸法（紙面垂直方向の寸法）は、スリーブ３の内径寸法よりも幅狭に設定されている。そして、基板２には、リアクタンス素子（Ｌ）２ａ及びキャパシタンス素子（Ｃ）２ｂが並列に接続して実装され、これによりインピーダンス整合回路１１を構成している。なお、本実施の形態では固形の基板２を用いているが、代わりにフレキシブル基板を用いることも考えられる。
【００２８】
図３は、図２に示すユニット部Ｕの主要構成部分を説明する断面図であり、（ａ）は分解した状態、（ｂ）は半ば組み立てた状態を示す。
図３の（ａ）に示す基幹筒状部材１、基板２、スリーブ３及び底栓４の組み立ては、次のように行う。すなわち、基板２の一端部を基幹筒状部材１の基板支持孔１ｂに差し込むと共に、基板２の他端部を底栓４の基板支持孔４ｂに差し込む。これにより、基板２の両端が支持される。そして、図３の（ｂ）に示すように、スリーブ３を基幹筒状部材１にヒンジ軸孔１ａの側から挿入し、二点鎖線で示す位置で底栓４に嵌め合わせた後に、リング溝４ａの位置でカシメを行う。このようにして、基板２がスリーブ３に覆われるように組み付けられる。なお、スリーブ３の内径は、基幹筒状部材１の外形よりも大きく形成されている。
【００２９】
スリーブ３によって囲まれた区域の中に、基幹筒状部材１の一部と、底栓４の大半と、基板２及びリアクタンス素子２ａ並びにキャパシタンス素子２ｂとによって構成されたインピーダンス整合回路１１の全体と、が位置している。そして、その隙間に電気絶縁性充填剤５を注入して固化させる。
【００３０】
これによって、図２に示すように、構成部材の全体が機械的に一体化させて強固になる。また、繊細な電子部品であるインピーダンス整合回路１１が、外部障害物の衝突に対しても雨水や塵埃の浸入に対しても完全に保護されるようになる。更には、前記の基幹筒状部材１と導電性のスリーブ３とが、電気絶縁性充填剤５によって電気的に絶縁され、インピーダンス整合回路１１の入力端と出力端とのショートが防止される。
【００３１】
電気絶縁性充填剤５の作用について更に説明する。底栓４は、無線機筺体に対して支持される部材である。一方、基幹筒状部材１は、線状アンテナを支持する部材である。したがって、底栓４と基幹筒状部材１とを接続している基板２は、線状アンテナ本体部８を支持する役目を受け持たねばならない。そして、線状アンテナ本体部８の自重や慣性力を支持するには、通常の基板でも強度不足であり、破損の虞れがある。
さらに、基板２が変形してスリーブ３と基幹筒状部材１とが接触すると、インピーダンス整合回路１１が短絡する。
こうした観点から、電気絶縁性充填剤５で隙間を埋めることは、機械的な補強の面でも、電気的な絶縁の面でも重要である。しかも、上述のように電気絶縁性充填剤５を注入して固化させる作業は、工業的生産に適している。
【００３２】
また、基板２に搭載されてインピーダンス整合回路１１を形成している電子部品は耐水性が少なく、外力に対して脆弱である。こうした観点からも、電気絶縁性充填剤５で基板２周辺をインサート成形することは有効である。
【００３３】
ここで、図１に示すように、基幹筒状部材１の中に保持ロッド９が摺動自在に収納され、保持スプリング１０によって線状アンテナ本体部８の先端の方向へ付勢されてヒンジ軸８ｂに押し付けられている。これにより、線状アンテナ本体部８に固着されたヒンジ片８ａの回動に抵抗が与えられ、線状アンテナ本体部８の傾斜角が保持される。本実施の形態では、従来一般にボール部材が用いられていた箇所に保持ロッド９を用いているので、ヒンジ片８ａに与える摩擦抵抗が安定する。
【００３４】
また、図１に示すように、高周波回路１２の出力端１２ａがナット７ａに接続される。このナット７ａは、筒状ホルダ７及び摩擦スプリング７ｂを介してスリーブ３に導通されている。このスリーブ３は、図２を参照して説明したように、インピーダンス整合回路１１を経て基幹筒状部材１に導通されている。
このようにして、高周波回路１２の出力端１２ａと線状アンテナ本体部８の基端部とがインピーダンス整合回路１１を直列に介して接続導通され、ＵＨＦ帯とＶＨＦ帯とに跨がるデュアル特性が得られる。
【００３５】
本実施の形態においては、線状アンテナ本体部８をテレスコピックに伸縮させることができ、伸長した線状アンテナ本体部８をヒンジ軸８ｂの周りに回動させて所望の角度に傾斜させること、及びその傾斜角度を保持することもでき、線状アンテナ本体部８を収縮させて筺体壁６内へ収納することもできる。しかも、ＵＨＦ帯とＶＨＦ帯とに跨がるデュアル特性が得られ、その上、アンテナ装置全体として小型軽量であり、しかも耐震性、防水性、防塵性を有している。
【００３６】
このように構成された本実施の形態は、次のように構成されているということができる。すなわち、無線機の筺体壁６を貫通して設置された筒状ホルダ７に対して導電性のスリーブ３を摺動可能に嵌合し、スリーブ３に対して、線状アンテナ本体部８の基端部を屈折回動可能に軸支してなるアンテナ装置Ａ１において、スリーブ３の中にインピーダンス整合回路１１を収納し、無線機の高周波回路１２の出力端１２ａと線状アンテナ本体部８の入力端との間に、インピーダンス整合回路１１を介挿接続している。
【００３７】
また、インピーダンス整合回路１１は、固形の基板２もしくはフレキシブル基板に、リアクタンス素子２ａ及びキャパシタンス素子２ｂを実装して成るものである。
また、線状アンテナ本体部８の基端部に設けた基幹筒状部材１と、導電性のスリーブ３に取り付けた導電性の底栓４とによって、基板２の両端部付近が支持されるとともに、基板２に、インピーダンス整合回路１１を構成するリアクタンス素子２ａ及びキャパシタンス素子２ｂが実装されている。そして、スリーブ３が底栓４に対して嵌め合わされて機械的にも電気的にも接続され、かつ、スリーブ３は、基幹筒状部材１に対して電気的に絶縁されている。
また、インピーダンス整合回路１１を構成するリアクタンス素子２ａ及びキャパシタンス素子２ｂが実装されている基板２と、導電性のスリーブ３とによって囲まれている空間の少なくとも一部分が、電気絶縁性充填剤５で満たされている。
【００３８】
〔第２の実施の形態〕
図４は、第２の実施の形態に係るアンテナ装置Ａ２を説明する断面図である。なお、本実施の形態では、第１の実施の形態と同じ構成部品については同じ符号を用い、その説明を省略することがある。すなわち、図４に図示されている線状アンテナ本体部８、ヒンジ軸８ｂ、基幹筒状部材１、保持ロッド９、筺体壁６、筒状ホルダ７及び摩擦スプリング７ｂは、図１に図示の部材と同一ないし類似のものである。
図４に示す筒状ホルダ７は、第１の実施形態と同様、高周波回路１２の出力端１２ａに接続導通されている。また、保持ロッド９は、図示しない保持スプリング（図１の符号１０に相当する部材）によって、線状アンテナ本体部８の先端の方向へ付勢され、ヒンジ片８ａに押し付けられている。
【００３９】
線状アンテナ本体部８の基端部に、中空部材としての電気絶縁性中空部材８ｄが装着されている。そして、電気絶縁性中空部材８ｄの基端側（図において下端）にヒンジ片８ａが固着され、ヒンジ軸８ｂによって基幹筒状部材１に軸支されている。
電気絶縁性中空部材８ｄの中にはインピーダンス整合回路１１が収納されている。このインピーダンス整合回路１１は、図１に図示のインピーダンス整合回路１１と同様であり、リアクタンス素子（Ｌ）とキャパシタンス素子（Ｃ）とが並列に接続されて成る電気回路である。
【００４０】
金属製のヒンジ片８ａの上端部を円筒状に延伸せしめて保護筒Ｓを形成し、電気絶縁性中空部材８ｄに被せてある。これにより、線状アンテナ本体部８の支持部が機械的に補強されてベンディングに耐え、外部障害物の衝突を防護する。保護筒Ｓは、線状アンテナ本体部８に近い電気絶縁性中空部材８ｄの端部を覆っておらず、電気絶縁性中空部材８ｄが外部に露出する露出部８ｄａが位置している。なお、線状アンテナ本体部８を収縮させて筒状ホルダ７の中へ収納するために、保護筒Ｓの外径寸法を基幹筒状部材１の外径寸法と略同一にすることが望ましい。
【００４１】
このように構成された本実施の形態は、次のように構成されているということができる。すなわち、無線機の筺体壁６を貫通して設置された筒状ホルダ７に対して導電性のスリーブ３を摺動可能に嵌合し、スリーブ３に対して、線状アンテナ本体部８の基端部を屈折回動可能に軸支してなるアンテナ装置Ａ２において、線状アンテナ本体部８と軸支点との間を、電気絶縁性中空部材８ｄによって機械的に接続支持するとともに、電気絶縁性中空部材８ｄの中にインピーダンス整合回路１１を収納し、無線機の高周波回路１２の出力端１２ａと線状アンテナ本体部８の入力端との間に、インピーダンス整合回路１１を介挿接続している。
【００４２】
〔第３の実施の形態〕
図５は、第３の実施の形態に係るアンテナ装置Ａ３を説明する断面図であり、図６は、図５の矢印VIから見たアンテナ装置Ａ３の外観図である。
ここで、本実施の形態では、無線機の高周波回路１２の出力端１２ａと線状アンテナ本体部８の入力端との間にインピーダンス整合回路１１（図１又は図４参照）を介挿接続するという大原則に関しては、第１及び第２の実施形態と同様であるが、アンテナ装置Ａ１，Ａ２を使用状態と収納状態との間で変化させる様式が異なっている。
【００４３】
本実施の形態が第１及び第２の実施の形態と異なる事項について具体的に説明する。
すなわち、第１及び第２の実施形態が線状アンテナを必須の構成要件としたのに比して、本実施の形態はアンテナエレメントを必須の構成要件とする。線状アンテナの定義は既に説明したとおりであるが、本実施の形態におけるアンテナエレメントとは、線状アンテナよりも広い概念であって、ヘリカルアンテナも含み、全体的な輪郭形状が細長いアンテナを総称する意をいう。
【００４４】
また、第１及び第２の実施形態は、線状アンテナをヒンジ軸の周りに回動させて傾斜角を変化させる機能を有し、休止時には線状アンテナを無線機筺体内へ収納し使用時には無線機筺体外へ引き出し得る構造であるのに対し、本実施の形態は、休止時にもアンテナエレメントを無線機筺体内へ収納することなく無線機筺体外で傾倒させて邪魔にならないようにする。
【００４５】
図５及び図６に示すように、アンテナエレメント１３は、ヒンジ片８ａに取り付けられ、ヒンジ軸８ｂによって回動可能に支持されるとともに、アンテナカバー１４で覆われている。一方、筒状ホルダ７は、無線機の筺体壁６に設置され、ボルトナット２０によって固定されている。筒状ホルダ７の中に、回転軸１５が中心線周りの回転可能に支承されている。
【００４６】
回転軸１５は、その上端部に切割溝１５ａが形成されている。この切割溝１５ａにヒンジ片８ａが嵌め合わされるとともに、ヒンジ軸８ｂによって回動可能に軸着されている。より具体的に説明すると、筒状ホルダ７の上端部に有底圧入シリンダ１８が圧入固定されていて、有底圧入シリンダ１８の中に抜止シリンダ１６が嵌着されている。回転軸１５はこのようにして回転可能に支持されている。
【００４７】
一方、回転軸１５の下端部にも切割溝１５ｂが形成されて可撓性を与えられるとともに、回転軸１５の下端の両側にフックが形成されている。このフックが抜止シリンダ１６の下端に係合して抜け止めされている。
有底圧入シリンダ１８の底部に基板保持孔１８ａが形成され、この基板保持孔１８ａに、リアクタンス素子２ａ及びキャパシタンス素子２ｂを実装された基板２が取り付けられている。リアクタンス素子２ａ及びキャパシタンス素子２ｂは、インピーダンス整合回路１１を構成している。このインピーダンス整合回路１１は、アンテナエレメント１３の入力端と高周波回路１２の出力端１２ａとの間に介挿接続されている。
【００４８】
ここで、第１及び第２の実施形態では、基板２が線状アンテナ本体部８を支持する構造のため、補強のために電気絶縁性充填剤５でインサート成形しているが、本実施の形態では、基板２は機械的な支持の役目を分担することなく、有底圧入シリンダ１８で保持されているだけであるので、必ずしも電気絶縁性充填剤５の中に封入しなくても良い。
【００４９】
このように構成された本実施の形態は、次のように構成されているということができる。すなわち、無線機の筺体壁６を貫通して設置された筒状ホルダ７に対し、有底圧入シリンダ１８を嵌合して固定し、有底圧入シリンダ１８によって、回転軸１５を回転可能に支持するとともに、該回転軸１５によりアンテナエレメント１３の基端付近を屈折回動可能に軸支してなるアンテナ装置Ａ３であって、有底圧入シリンダ１８の底部に対して、インピーダンス整合回路１１を形成した基板２を取り付け、無線機の高周波回路１２の出力端１２ａとアンテナエレメント１３の入力端との間に、インピーダンス整合回路１１を介挿接続している。
【図面の簡単な説明】
【００５０】
【図１】第１の実施の形態に係るアンテナ装置を説明する断面図である。
【図２】ユニット部の断面図である。
【図３】ユニット部の主要構成部分を説明する断面図であり、（ａ）は分解した状態、（ｂ）は半ば組み立てた状態を示す。
【図４】第２の実施の形態に係るアンテナ装置を説明する断面図である。
【図５】第３の実施の形態に係るアンテナ装置を説明する断面図である。
【図６】図５の矢印VIから見たアンテナ装置の外観図である。
【符号の説明】
【００５１】
１…基幹筒状部材、１ａ…ヒンジ軸孔、１ｂ…基板支持孔、２…基板、２ａ…リアクタンス素子、２ｂ…キャパシタンス素子、３…スリーブ、４…底栓、４ａ…リング溝、４ｂ…基板支持孔、５…電気絶縁性充填剤、５ａ，８ｄａ…露出部、６…筺体壁、７…筒状ホルダ、７ａ…ナット、７ｂ…摩擦スプリング、８…線状アンテナ本体部、８ａ…ヒンジ片、８ｂ…ヒンジ軸、８ｄ…電気絶縁性中空部材、９…保持ロッド、１０…保持スプリング、１１…インピーダンス整合回路、１２…高周波回路、１２ａ…出力端、１３…アンテナエレメント、１４…アンテナカバー、１５…回転軸、１６…抜止シリンダ、１８…有底圧入シリンダ、１８ａ…基板保持孔、２０…ボルトナット、Ａ１，Ａ２，Ａ３…アンテナ装置、Ｓ…保護筒
【図１】
2009017192.tif 000003
【図２】
2009017192.tif 000004
【図３】
2009017192.tif 000005
【図４】
2009017192.tif 000006
【図５】
2009017192.tif 000007
【図６】
2009017192.tif 000008